(57)【要約】【課題】被圧縮物を圧縮する際に可動ダイスに作用する水平分力でピストンが傾斜することのない油圧圧縮機を提供する。【解決手段】油圧圧縮機１のピストン４に可動ダイス５が装着され、フック部８のダイス保持部９に固定ダイス６が装着される。可動ダイス５のガイド凹部５ｃは、接合面５ｂから直角に下降するガイド面５ｅを有する。固定ダイス６のガイド突部６ｃは、圧縮動作時に可動ダイス５のガイド面５ｅに摺接するガイド面６ｅを有する。圧縮動作中に被圧縮物が回転変形し、固定ダイス６が反開放部側へ、可動ダイス５が開放部側へそれぞれ押されると、ガイド面５ｅ，６ｅが押し合ってこの水平分力を打ち消し、ピストン４が開放部側へ傾斜するのを防止する。【選択図】図１
2018167306.tif 000002
【特許請求の範囲】
【請求項１】
シリンダとピストンを保持する基部と、この基部の一側から前記ピストンの突出方向へ延出し前記ピストンに対向するダイス保持部を有するフック部とを具備し、前記基部と前記ダイス保持部との間が前記基部の他側側へ開放するする本体と、
前記ピストン上に着脱自在に装着される可動ダイスと、
前記可動ダイスに対向して前記ダイス保持部に着脱自在に装着される固定ダイスとを具備し、
前記可動ダイスは、被圧縮物を受け入れて成形する型凹部と、この型凹部の両側に位置し圧縮動作時に前記固定ダイスに当接する接合面と、前記フック部に沿う外側面から内側へ所定間隔を置いて前記接合面から前記ピストン側へ下降するガイド面を有するガイド凹部とを具備し、
前記固定ダイスは、前記可動ダイスの型凹部との間に被圧縮物を受け入れる対応型凹部と、この型凹部の両側に位置し圧縮動作時に前記可動ダイスの接合面に当接する対応接合面と、圧縮動作時に前記可動ダイスのガイド面に摺接する対応ガイド面を有し前記ガイド凹部に係合するガイド突部とを具備することを特徴とする油圧圧縮機。
【請求項２】
前記可動ダイスは、圧縮方向と反対側面から前記ピストン側へ突出する位置決め突部を具備し、
前記ピストンは、前記可動ダイスの位置決め突部を嵌合させる嵌合凹部を具備し、
前記固定ダイスは、圧縮方向と反対側面から前記ダイス保持部側へ突出する位置決め突部を具備し、
前記ダイス保持部は、前記固定ダイスの位置決め突部を嵌合させる嵌合凹部を具備することを特徴とする請求項１に記載の油圧圧縮機。
【請求項３】
前記可動ダイスは、圧縮方向と反対側の端部の側面に係合凹部を具備し、
前記ピストンは、前記可動ダイスの圧縮方向と反対側の端部を受け入れるダイス受け凹部と、このダイス受け凹部の前記可動ダイスの係合凹部対応位置から外側面に貫通するピン挿通孔とを具備し、
前記ピン挿通孔に挿通されるストッパピンにより前記可動ダイスが前記ピストンから抜け止めされるように構成され、
前記固定ダイスは、圧縮方向と反対側の端部の一側面に係合凹部を具備し、
前記本体のダイス保持部は、前記固定ダイスの圧縮方向と反対側の端部を受け入れるダイス受け凹部と、このダイス受け凹部の前記固定ダイスの係合凹部対応位置から外側面に貫通するピン挿通孔とを具備し、
前記ピン挿通孔に挿通されるストッパピンにより前記固定ダイスが前記ダイス保持部から抜け止めされるように構成されることを特徴とする請求項1に記載の油圧圧縮機。
【請求項４】
前記可動ダイスのガイド面は、前記フック部に沿う外側面から内側へ所定間隔を置いて前記接合面から直角に前記ピストン側へ下降することを特徴とする請求項1に記載の油圧圧縮機。
【請求項５】
前記可動ダイスのガイド面は、前記フック部に沿う外側面から内側へ所定間隔を置いて前記接合面から傾斜して前記ピストン側へ下降することを特徴とする請求項1に記載の油圧圧縮機。
【発明の詳細な説明】
【技術分野】
【０００１】
本発明は、電線接続用の金属スリーブを圧縮して電線に接続するために用いられる油圧圧縮機に関する。
【背景技術】
【０００２】
従来、電線接続用の金属スリーブを圧縮するための油圧圧縮機として特許文献１に記載のものが知られている。この圧縮機においては、ほぼＣ字形のクランプダイヘッドに固定ダイスと可動ダイスとが互いに対向して取付けられる。可動ダイスがクランプダイヘッドの根元側の油圧シリンダのピストンロッドで押し出されると、両ダイス間に配置された金属スリーブが圧縮される。ピストンロッドの先端部には、可動ダイスに突設された連結ピンを差し込む差込孔と、その差込孔から外側に貫通する係止孔が形成される。この係合孔に抜き差しされるピンの先端が連結ピンの係合凹部に係合することで、可動ダイスが抜け止めされる。クランプダイヘッドの上部には、固定ダイスに突設された連結ピンを差し込む差込孔と、そこから外側面に貫通するピン孔とが形成される。ピン孔に抜き差しされるピンの先端が連結ピンの係合凹部に係合することで、固定ダイスが抜け止めされる。
【先行技術文献】
【特許文献】
【０００３】
【特許文献１】実用新案登録第２５８３３１０号公報
【発明の概要】
【発明が解決しようとする課題】
【０００４】
上記従来の油圧圧縮機を用いて、例えば断面Ｃ字状の金属スリーブを圧縮する場合、断面形状が圧縮軸に対して非対称であるため、圧縮過程でスリーブが軸周りに回転しながら変形し、その際に発生する水平分力が、ダイスを介してピストンを傾斜させるように作用する。この結果、ピストンが、摺動するシリンダー内の内周にかじり、金属スリーブを把持したまま、元位置に復帰しなくなる現象が生じる。ピストンの復帰をばね力で行う、いわゆる単動式の圧縮機においてこの現象が生じやすい。
このような現象が生じると、傾斜したピストンの前側をハンマー等で叩いたり、把持されたスリーブをピストンの下降方向に叩いたりして、ピストンの姿勢を矯正し、強制的にピストンを下降させる操作が必要となる。このような操作は、作業を遅延させるばかりでなく、打撃に伴うピストンやシリンダの損傷、被圧縮物であるスリーブの損傷を招くという問題点がある。
したがって、本発明は、スリーブ等を圧縮する際に発生する水平分力によってピストンが傾斜することのない油圧圧縮機を提供することを目的としている。
【課題を解決するための手段】
【０００５】
以下、添付図面の符号を参照して説明するが、本発明はこれに限定されるものではない。
上記課題を解決するための、本発明の油圧圧縮機１は、シリンダ３とピストン４を有する本体２と、これに装着される可動ダイス５と固定ダイス６とを具備する。本体２は、シリンダ３とピストン４を保持する基部７と、この基部７の一側から延出してピストン４に対向するダイス保持部９を有するフック部８とを具備する。可動ダイス５は、ピストン４上に着脱自在に装着される。固定ダイス６は、可動ダイス５に対向してフック部８のダイス保持部９に着脱自在に装着される。可動ダイス５は、型凹部５ａと、接合面５ｂと、ガイド凹部５ｃとを具備する。型凹部５ａは、被圧縮物を受け入れて所定の圧縮形状に成形する。接合面５ｂは、型凹部５ａの両側に位置し、圧縮動作時に固定ダイス６に当接する。ガイド凹部５ｃは、フック部８に沿う外側面から内側へ所定間隔を置いて接合面５ｂから圧縮方向と反対側へ下降するガイド面５ｅを有する。固定ダイス６は、型凹部６ａと、接合面６ｂと、ガイド突部６ｃとを具備する。型凹部６ａは、可動ダイス５の型凹部５ａとの間に被圧縮物を受け入れて所定の圧縮形状に成形する。接合面６ｂは、型凹部６ａの両側に位置し、圧縮動作時に可動ダイス５の接合面５ｂに当接する。ガイド突部６ｃは、圧縮動作時に可動ダイス５のガイド面５ｅに摺接するガイド面６ｅを有し、ガイド凹部５ｃに係合する。
【発明の効果】
【０００６】
本発明の油圧圧縮機１においては、圧縮動作中にスリ−ブ等の被圧縮物が回転変形することにより、固定ダイス６が開放部と反対側へ押され、可動ダイス５が開放部側へ押される水平分力が作用すると、２つのダイス５，６のガイド面５ｅ，６ｅが押し合ってこの水平分力を打ち消すことにより、ピストン４が開放部側へ傾斜するのを防止する。
【図面の簡単な説明】
【０００７】
【図１】本発明に係る油圧圧縮機の一部を切欠した正面図である。
【図２】図１の油圧圧縮機における２つのダイスの正面図であり、（ａ）は圧縮動作前、（ｂ）は圧縮動作時の状態を示す。
【図３】図１の油圧圧縮機における２つのダイスの斜視図である。
【図４】他の実施形態のダイスの正面図であり、（ａ）は圧縮動作前、（ｂ）は圧縮動作時の状態を示す。
【発明を実施するための形態】
【０００８】
図面を参照して本発明の実施の形態を説明する。
油圧圧縮機１は、シリンダ３とピストン４を有する本体２と、これに装着される可動ダイス５と固定ダイス６とを具備する。
【０００９】
本体２は、シリンダ３とピストン４を保持する基部７と、この基部７の一側から概略Ｃ字状に延出し、他側側へ開放するフック部８とを具備する。フック部８は、ピストン４に対向するダイス保持部９を有する。
【００１０】
可動ダイス５は、ピストン４上に着脱自在に装着される。固定ダイス６は、可動ダイス５に対向してダイス保持部９に着脱自在に装着される。
【００１１】
可動ダイス５は、型凹部５ａと、接合面５ｂと、ガイド凹部５ｃと、位置決め突部５ｄを具備する。
【００１２】
型凹部５ａは、被圧縮物を受け入れて、圧縮動作を行う時に、これを所定の圧縮形状に成形する。
【００１３】
接合面５ｂは、型凹部５ａの両側に位置し、圧縮動作時に、固定ダイス６に当接する。
【００１４】
ガイド凹部５ｃは、フック部８の内側面に沿う外側面から内側へ所定間隔を置いて、接合面５ｂから直角に圧縮方向と反対側へ下降するガイド面５ｅを有する。
【００１５】
位置決め突部５ｄは、圧縮方向と反対の側面からピストン４側へ突出し、ピストン４の嵌合凹部４ａに嵌合する。
【００１６】
また、可動ダイス５は、圧縮方向と反対側の端部の一側面に、係合凹部５ｆを具備する。一方、ピストン４は、係合凹部５ｆに対応する位置に図示しないピン挿通孔を有し、これに抜き差しされる図示しないストッパピンにより可動ダイス５がピストン４から抜け止めされる。
【００１７】
固定ダイス６は、型凹部６ａと、接合面６ｂと、ガイド突部６ｃと、位置決めと突部６ｄとを具備する。
【００１８】
型凹部６ａは、可動ダイス５の型凹部５ａとの間に、被圧縮物を受け入れ、圧縮動作時に、可動ダイスと協働してこれを所定形状に圧縮成形する。
【００１９】
接合面６ｂは、型凹部６ａの両側に位置し、圧縮動作時に、可動ダイス５の接合面５ｂに当接する。
【００２０】
ガイド突部６ｃは、接合面６ｂから圧縮方向に突出し、接合面６ｂに対して直角なガイド面６ｅを有する。ガイド突部６ｃは、圧縮動作時に、可動ダイス５のガイド凹部５ｃに係合する。ガイド面６ｅは、圧縮動作の過程で、可動ダイス５のガイド面５ｅに摺接する。
【００２１】
位置決め突部６ｄは、固定ダイス６の圧縮方向と反対の側面からダイス保持部９側へ突出し、嵌合凹部９ａに嵌合する。
【００２２】
また、固定ダイス６は、圧縮方向と反対側の端部の一側面に係合凹部６ｆを具備する。一方、ダイス保持部９は、係合凹部６ｆに対応する位置に、図示しないピン挿通孔を有し、これに抜き差しされる図示しないストッパピンにより、固定ダイス６がダイス保持部９から抜け止めされる。
【００２３】
油圧圧縮機１を用いて金属スリーブ等の被圧縮物の圧縮作業を行う場合、圧縮動作中に被圧縮物が回転変形することがある。例えば、図１においてダイス５，６間の金属スリーブが、圧縮時に左回転する力を受けた場合、固定ダイス６が左水平方向（フック部８側）の分力を受け、可動ダイス５が右水平方向（開放部側）の分力を受ける。このとき、２つのダイス５，６のガイド面５ｅ，６ｅが押し合って、この水平分力を打ち消すことにより、可動ダイス５が右方向へ移動するのを阻止する。これにより、ピストン４が右方向へ傾斜するのを防止する。
【００２４】
なお、被圧縮物が右回転する場合には、可動ダイス５が左方向の水平分力を受けるが、可動ダイス５の左側面がフック部８の内側面に当接して動かないので、ピストン４を傾斜させることはない。
【００２５】
図４に示す他の実施形態の油圧圧縮機１においては、可動ダイス５のガイド面５ｅが、フック部８に沿う外側面から内側へ所定間隔を置いて接合面５ｂから傾斜してピストン４側へ下降している。これに対応して、固定ダイス６のガイド面６ｅも傾斜しており、ダイス５，６が突き合わされるとき、ガイド面５ｅ，６ｅが互いに摺動して押し合うことにより、可動ダイス５が右方向へ移動するのを阻止する。
【符号の説明】
【００２６】
１      油圧圧縮機
２      本体
３      シリンダ
４      ピストン
４ａ    嵌合凹部
５      可動ダイス
５ａ    型凹部
５ｂ    接合面
５ｃ    ガイド凹部
５ｄ    位置決め突部
５ｅ    ガイド面
６      固定ダイス
６ａ    型凹部
６ｂ    接合面
６ｃ    ガイド凹部
６ｄ    位置決め突部
６ｅ    ガイド面
７      基部
８      フック部
９      ダイス保持部
９ａ    嵌合凹部
【図１】
2018167306.tif 000003
【図２】
2018167306.tif 000004
【図３】
2018167306.tif 000005
【図４】
2018167306.tif 000006